(57)【要約】【課題】液晶調光フィルムの透明電極からリード線を取り出すリード線引き出し部の電極端子構造において、透明電極との接着力低下の虞が無い電極端子構造を提供することを課題とする。【解決手段】樹脂フィルム１上に透明電極２を備えている２枚の透明電極フィルム１８の透明電極側を内側にして液晶層を積層した調光素子を備えてなる液晶調光フィルムの透明電極からリード線６を引き出すリード線引き出し部の電極端子であって、透明電極フィルムの透明電極上に、透明電極上の残渣物を内部に取り込むことで接着力の低下を防ぐ油面接着性導電粘着剤層３と、金属テープ４と、がこの順に備えられていることを特徴とする電極端子１０。【選択図】図１
2020030229.tif 000002
【特許請求の範囲】
【請求項１】
樹脂フィルム上に透明電極を備えている２枚の透明電極フィルムの透明電極側を内側にして液晶層を積層した調光素子を備えてなる液晶調光フィルムの透明電極からリード線を引き出す電極端子であって、
透明電極フィルムの透明電極上に、導電粘着剤層と、導電性マジックテープ（登録商標）と、その導電性マジックテープ（登録商標）と着脱可能なもう１つの導電性マジックテープ（登録商標）と、がこの順に備えられていることを特徴とする電極端子。
【請求項２】
樹脂フィルム上に透明電極を備えている２枚の透明電極フィルムの透明電極側を内側にして液晶層を積層した調光素子を備えた液晶調光フィルムの透明電極からリード線を引き出す電極端子であって、
透明電極フィルムの透明電極上に、透明電極上の残渣物を内部に取り込むことで接着力の低下を防ぐ油面接着性導電粘着剤層と、導電性マジックテープ（登録商標）と、その導電性マジックテープ（登録商標）と着脱可能なもう１つの導電性マジックテープ（登録商標）と、がこの順に備えられていることを特徴とする電極端子。    
【請求項３】
前記金属テープが銅テープであることを特徴とする請求項１または２に記載の電極端子。
【請求項４】
前記樹脂フィルムがポリエチレンテレフタレートフィルムであることを特徴とする請求項１〜３のいずれかに記載の電極端子。
【請求項５】
請求項１〜４のいずれかに記載の電極端子を備えていることを特徴とする液晶調光フィルム。
【発明の詳細な説明】
【技術分野】
【０００１】
本発明は、液晶調光フィルムのリード線引き出し部の電極端子の構造に関する。
【背景技術】
【０００２】
電圧を印加すると光を散乱し、電圧を切ると光を散乱しなくなる、あるいはその逆となる性質を持つ液晶材料を使用した液晶調光フィルムが様々な用途で使用され始めている。
【０００３】
液晶調光フィルムは、液晶層１１の表裏面を透明電極フィルム１８で積層した積層体が調光機能を持つ調光素子１７が主たる構成要素である。通常はその調光素子１７の片面を保護フィルム２１で積層した層構成を備えている。（図２参照）。
【０００４】
図２に例示した様に、上下２枚の透明電極フィルム１８の透明電極２に外部電源から供給された電圧を印加するために、双方の透明電極フィルム１８の端部にそれぞれリード線引き出し部１６が備えられており、その中に電極端子１９が形成されている。なお、透明電極フィルム１８は、樹脂フィルム１の片面に透明導電膜からなる透明電極２が形成されたものである。
【０００５】
リード線引き出し部１６は、図２に例示した様に、下側の透明電極フィルム１８の右側の端部の一部に、上側の透明電極フィルム１８が除去された部分が形成されている場合を例示している。その部分において、下側の透明電極フィルム１８の透明電極２の上に、導電ペースト１２と、カーボンテープ１３と、銅テープ４とが、その順に積層された電極端子１９の例を示している。更に、電極端子１９の銅テープ４の上にリード線６がはんだ５により接合（はんだ付け）されている。
【０００６】
この様な構造を形成した後、この電極端子１９とその周辺の部分を封止材１５により封止し、その封止材１５の上からカプトンテープ１４を積層することによりリード線引き出し部１６が形成されている。この様にしてリード線６を外部に取り出した液晶調光フィルムを作製することができる。
【０００７】
この様にして作製された液晶調光フィルムは、予めリード線引き出し部の位置が決められている。そのため、外部電源とリード線との位置関係が必ずしも最短距離になく、その接続線が必要以上に長くなる問題があった。この問題を解決する技術として特許文献１には、リード線引き出し部の位置をある範囲で可変な液晶調光フィルムが開示されている。この技術においては、液晶調光フィルムの一対の端縁に沿って延伸した電極を形成しておくことで、ある範囲でリード線引き出し部の位置を可変としている。その延伸した電極の範囲の最適な位置から外部にリード線を引き出すために、電極に導電性のビスなどを羅入させることにより、透明電極とリード線との導通を確保する。そのため、ビスと電極との接触状態を常に一定にする事は困難であり、安定した導通抵抗を確保できない虞がある。
【０００８】
また、従来の液晶調光フィルムにおいては、透明電極上に、銀ペーストなどの導電ペーストと、その上に銅テープを接着していた。この様な層構成においては、経時的に接着力が弱まることや製造工程において加熱する工程がある場合には加熱による接着力の劣化の虞があった。そのため、透明電極とリード線の間の接続抵抗の安定性に不安があった。
【０００９】
この様な問題点を解決する技術として、特許文献２には、透明電極の上に、銀ペーストと、カーボンテープと、銅テープとが、この順に積層された電極構造が開示されている。銀ペーストは透明電極との接着力が良好であると同時にカーボンテープとの接着力も良好
である。カーボンテープと銅テープとの接着力も良好であるため、透明電極との接着力が強い電極構造とすることができる。
【００１０】
しかしながら、透明電極上に残留している液晶層の残渣物や配向膜の残渣などの表面汚染による接着力の低下については、何ら配慮されていなかった。
【００１１】
更に、従来の液晶調光フィルムのリード線は、工場においてはんだ付けされて出荷される。そのため輸送中の振動や取扱い時にリード線にかかる力によって、リード線がはんだ付けされた部位が何らかのダメージを受け、はんだ付け部から取れてしまったり（電極破壊）、取れないまでもダメージにより接続抵抗が増加する虞があった。
【００１２】
そのため、液晶調光フィルムの本体と、リード線と、を分離して輸送でき、且つ施工現場において容易に接合可能な技術が求められていた。
【先行技術文献】
【特許文献】
【００１３】
【特許文献１】特開平６−１４８６６４号公報
【特許文献２】特開２０１８−２２１５４号公報
【発明の概要】
【発明が解決しようとする課題】
【００１４】
上記の事情に鑑み、本発明は、２枚の透明電極フィルムの透明電極側を内側にして液晶層を積層した調光素子を備えた液晶調光フィルムの調光素子の透明電極からリード線を取り出すリード線引き出し部の電極端子構造において、リード線側と液晶調光フィルム側とを着脱可能な電極端子構造を提供することを課題とする。更に、透明電極との接着力低下の虞が無い電極端子構造を提供することを課題とする。
【課題を解決するための手段】
【００１５】
上記の課題を解決する手段として、本発明の第一の態様は、樹脂フィルム上に透明電極を備えている２枚の透明電極フィルムの透明電極側を内側にして液晶層を積層した調光素子を備えてなる液晶調光フィルムの透明電極からリード線を引き出す電極端子であって、
透明電極フィルムの透明電極上に、導電粘着剤層と、導電性マジックテープ（登録商標）と、その導電性マジックテープ（登録商標）と着脱可能なもう１つの導電性マジックテープ（登録商標）と、がこの順に備えられていることを特徴とする電極端子である。
【００１６】
マジックテープ（登録商標）は、互いに着脱自在の雄のマジックテープ（登録商標）と雌のマジックテープ（登録商標）からなる。このマジックテープ（登録商標）を構成する材料として導電性の材料を使用して作製したものが導電性マジックテープ（登録商標）である。透明電極の上に、導電性粘着剤を介して、例えば雌の導電性マジックテープ（登録商標）を接着しておき、もう一方の尾明日の導電性マジックテープ（登録商標）をリード線と接続しておく。このことにより、リード線を透明電極と着脱自在とすることができると同時に、導通可能とすることができる。
【００１７】
また、第二の態様は、樹脂フィルム上に透明電極を備えている２枚の透明電極フィルムの透明電極側を内側にして液晶層を積層した調光素子を備えた液晶調光フィルムの透明電極からリード線を引き出す電極端子であって、
透明電極フィルムの透明電極上に、透明電極上の残渣物を内部に取り込むことで接着力の低下を防ぐ油面接着性導電粘着剤層と、導電性マジックテープ（登録商標）と、その導電性マジックテープ（登録商標）と着脱可能なもう１つの導電性マジックテープ（登録商標）と、がこの順に備えられていることを特徴とする電極端子である。
【００１８】
透明電極フィルムの透明電極の表面には、液晶配向膜が形成された後、液晶層が塗布される。その後、リード線引き出し部だけ、液晶層とその下地にある液晶配向膜を除去し、透明電極の表面を露出させる。その露出した透明電極に導電性粘着剤を介して、金属テープが接着される。この際、透明電極の表面には液晶配向膜や液晶層の一部が残渣として残っている。これらは導電性接着剤と透明電極との接着力を劣化させる働きを持っている。そのため、経時的に接着力の低下が起こるのを防ぐため、導電性粘着剤に油面接着性を付与した油面接着性導電性粘着剤を使用する。この油面接着性導電性粘着剤は、液晶配向膜や液晶層の残渣と接触すると、それらを粘着剤の内部に取り込む性質を持っている。その様にして、液晶配向膜や液晶層の残渣が透明電極と粘着剤の界面から除去されるため、油面接着性導電性粘着剤と透明電極との接着力が劣化することを防ぐことができる。
【００１９】
また、第三の態様は、前記金属テープが銅テープであることを特徴とする請求項１または２に記載の電極端子である。
【００２０】
また、第四の態様は、前記樹脂フィルムがポリエチレンテレフタレートフィルムであることを特徴とする請求項１〜３のいずれかに記載の電極端子である。
【００２１】
また、第五の態様は、請求項１〜４のいずれかに記載の電極端子を備えていることを特徴とする液晶調光フィルムである。
【発明の効果】
【００２２】
本発明の第一の態様の電極端子によれば、導電性粘着剤を介して導電性マジックテープ（登録商標）を透明電極に接着するため、リード線の設置位置の自由度が大きくなる。また、第二の態様の電極端子によれば、着脱自在で且つ導電性を有する導電性マジックテープ（登録商標）を、油面接着性導電性粘着剤を介して透明電極に接着するため、透明電極の表面に液晶配向膜や液晶層の残渣が存在しても、接着力が経時的に劣化することがない上に、リード線の設置位置の自由度が大きくなると同時に、リード線を液晶調光フィルムから着脱可能となる。そのため、運搬時や取扱い時にリード線に大きな力が加わる事によるリード線が液晶調光フィルムから取れてしまったり、取れないまでも抵抗値が増加するダメージの発生を防ぐ事が可能となる。また、導電性マジックテープ（登録商標）の設置範囲を広くとる事により、リード線を接続可能な範囲を広くとる事が可能となり、リード線の取り付け位置に関する自由度が大きくなる。
【００２３】
また、本発明の液晶調光フィルムによれば、上記で説明した本発明の電極端子がもたらす特徴を備えた液晶調光フィルムとすることができる。
【図面の簡単な説明】
【００２４】
【図１】本発明の液晶調光フィルムのリード線引き出し部における電極端子の構造の断面を例示する断面説明図。
【図２】従来の液晶調光フィルムのリード線引き出し部および電極端子の構造の断面を例示する断面説明図。
【発明を実施するための形態】
【００２５】
＜第一の実施形態＞
本発明の液晶調光フィルムで使用する電極端子について図１（ａ）を用いて説明する。
本発明の電極端子の第一の実施形態は、樹脂フィルム１上に透明電極２を備えている２枚の透明電極フィルム１８の透明電極２側を内側にして液晶層を積層した調光素子を備えてなる液晶調光フィルムの透明電極２からリード線６を引き出すリード線引き出し部１６（図２参照）の電極端子１０である。これは、図２において、電極端子１９を図１（ａ）における電極端子１０に置き換えたものである。
【００２６】
本発明の電極端子１０の第一の実施形態は、透明電極フィルム１８の透明電極２上に、透明電極２上の残渣物を内部に取り込むことで接着力の低下を防ぐ導電粘着剤層３´と、導電性マジックテープ（登録商標）８と、その導電性マジックテープ（登録商標）８と着脱可能なもう１つの導電性マジックテープ（登録商標）９と、がこの順に備えられていることを特徴とする。
リード線６は、導電性マジックテープ（登録商標）９の上にはんだ５により接合（はんだ付け）されている。
【００２７】
（樹脂フィルム）
本発明で使用する樹脂フィルム１としては特に限定する必要は無いが、例えばポリエチレンテレフタレート（ＰＥＴ）フィルムを好適に使用することができる。その他の樹脂フィルムであっても、透明であって、且つ常温でフィルムの形態を保持可能な機械的な強度と化学的な安定性を備えている一般的に入手可能な樹脂であれば使用可能である。例えばポリエチレン（ＰＥ）フィルムやポリカーボネート（ＰＣ）フィルムなどを挙げることができる。     
【００２８】
（透明電極）
透明電極２については、透明電極として一般的なＩＴＯ（Ｉｎｄｉｕｍ  Ｔｉｎ  Ｏｘｉｄｅ）を好適に使用可能である。その他に、アルミニウム添加した酸化亜鉛や、酸化錫などを使用可能である。厚さについても特に指定する必要は無いが、光透過率と必要な電気抵抗値からの要請により、８０ｎｍ〜１５０ｎｍ程度である。
また、ＰＥＤＯＴやＰＳＳなどのπ共役系高分子材料にドープされたポリアニオンを含む導電性ポリマーを使用することも可能である。
【００２９】
（油面接着性導電粘着剤層）
油面接着性導電粘着剤層３の材料としては、透明電極２の表面に残留している液晶配向膜や液晶層の残渣物を、油面接着性導電粘着剤層３の中に取り込む事で、透明電極２との界面からそれらを除去すること、または存在濃度を低下させることにより、透明電極２と油面接着性導電粘着剤層３の接着力の経時的な劣化を抑制可能な材料であれば特に限定する必要は無い。
【００３０】
油面接着性導電粘着剤層３の中にプレス油や防錆剤などの汚染油分を取り込む吸油性成分を接着剤に添加すれば良い。吸油性成分としては、例えば、ポリアルキレングリコールジグリシジルエーテル、長鎖二塩基酸ジグリシジルエステル、などのエポキシオリゴマーなどが挙げられるが,その他エポキシ接着剤の溶解度パラメーター(Ｓｏｌｕｂｉｌｉｔｙ
Ｐａｒａｍｅｔｅｒ：ＳＰ値)を小さくする方向であれば油面接着性の向上が期待できる。
【００３１】
通常は、被接着面に、プラズマ処理、コロナ放電処理、ＵＶ処理、溶剤脱脂処理、蒸気脱脂処理、サンドペーパーやサンドブラストを使用した表面研磨処理、エッチング処理、プライマー処理などの接着性を増強する処理が必要となるが、油面接着性導電粘着剤層３においては、その様な処理が不完全であっても、あるいは処理を行わなくても、良好な接着性を得る事ができる。
【００３２】
油面接着剤としては、例えば、ゴム系マスチック形、ＰＶＣ系プラスチゾル形、エポキシ樹脂系、構造用アクリル（ＳＧＡ）系、嫌気性アクリル系、シアノアクリレート系、ポリウレタン系、ポリエステル（ビニルエステル）系、熱硬化性ホットメルト形エポキシ樹脂系、ホットメルト形熱可塑性樹脂系、などを挙げることができる。
【００３３】
（金属テープ）
金属テープ４の材料としては、一般的で入手が容易且つ金属の中でも電気伝導率が低く、はんだ付けが可能である点から、銅を好適に使用できる。しかしながら銅に限定する必要は無い。例えば、電気導電率が低いアルミニウム箔と、はんだ付け可能なニッケル箔や錫箔、その他の金属材料とのクラッド材などを挙げることができる。
【００３４】
（はんだ）
はんだ５の材料としては、特に限定されない。通常の鉛と錫を主成分とした合金であっても良いし、鉛を含まない無鉛はんだや低温はんだなどを使用しても構わない。
【００３５】
（リード線）
リード線６としては、特に限定されない。電気回路や電子回路において使用されているビニール線、錫めっき線、エネメル線など、流れる電流値やリード線の引き回し状態などに従って、適するものを適宜選択すれば良い。
【００３６】
以上の様な構成とすることにより、本発明の電極端子１０は、透明電極フィルム１８の透明電極２の表面に液晶配向膜や液晶層の残渣が残留していても、透明電極２上に油面接着性導電粘着剤層３を介して接着された金属テープ４は、その透明電極２との接着力が経時的な劣化をすることなく安定して接着される。
【００３７】
＜第二の実施形態＞
本発明の液晶調光フィルムで使用する電極端子について図１（ｂ）を用いて説明する。
本発明の電極端子の第二の実施形態は、樹脂フィルム１上に透明電極２を備えている２枚の透明電極フィルム１８の透明電極２側を内側にして液晶層１１を積層した調光素子１７を備えてなる液晶調光フィルムの透明電極２からリード線６を引き出すリード線引き出し部に備えられた電極端子２０である。これは、図２において、電極端子１９を図１（ｂ）における電極端子２０に置き換えたものである。
【００３８】
本発明の電極端子の第二の実施形態は、透明電極フィルム１８の透明電極２上に、透明電極２上の残渣物を内部に取り込むことで接着力の低下を防ぐ油面接着性導電粘着剤層３と、導電性マジックテープ（登録商標）８と、その導電性マジックテープ（登録商標）と着脱可能なもう１つの導電性マジックテープ（登録商標）９と、がこの順に備えられていることが特徴である。
リード線６は、導電性マジックテープ（登録商標）９の上に導電テープ７により接着されている。
【００３９】
導電性マジックテープ（登録商標）８が、透明電極２に油面接着性導電粘着剤層３を介して接着されるため、その接着力は経時的に劣化する事が無い。この導電性マジックテープ（登録商標）８を例えば雌のマジックテープ（登録商標）としておき、導電性マジックテープ（登録商標）９を雄のマジックテープ（登録商標）としておくことにより、それらの導電性マジックテープ（登録商標）８、９は着脱可能に配置される（図１（ｃ）参照）と同時に、導電性マジックテープ（登録商標）８、９は互いに多数の接触ポイントで接続されるため、安定した接続抵抗値で接続される。
【００４０】
また、透明電極２に油面接着性導電粘着剤層３を介して接着される導電性マジックテープ（登録商標）８を広い範囲に亘って備えておくことによって、リード線６側の導電性マジックテープ（登録商標）９を接続する位置の選択性を飛躍的に拡げる事が可能となる。なお、リード線６は導電テープ７により導電性マジックテープ（登録商標）９に接着されている。
【００４１】
以上、本発明の液晶調光フィルに使用される電極端子について説明した。本発明の電極端子は、油面接着性導電粘着剤層を介して透明電極上に金属箔を接着するため、透明電極と金属箔の接着力は経時的な劣化を抑制される。そのため、本発明の電極端子を備えた液晶調光フィルムは、現場で施工後、長期間に亘って安定した調光機能を保持する事が可能（長寿命）である。
【００４２】
また、本発明の、導電性マジックテープ（登録商標）を、油面接着性導電粘着剤層を介して透明電極上に接着した電極端子を備えた液晶調光フィルムは、上記の長寿命であることに加え、マジックテープ（登録商標）構造により、着脱自在であるばかりか、透明電極側に設置する導電性マジックテープ（登録商標）を広い範囲に備えておくことにより、リード線が接続（導電テープで接着）された導電性マジックテープ（登録商標）の接続位置の選択範囲を飛躍的に広くすることが可能となる。そのため、施工現場における液晶調光フィルムと外部電源の接続作業の自由度を飛躍的に高めることができる。
【符号の説明】
【００４３】
１・・・樹脂フィルム
２・・・透明電極
３・・・油面接着性導電粘着剤
３´・・・導電性粘着剤
４・・・金属テープ
５・・・はんだ
６・・・リード線
７・・・導電テープ
８・・・導電性マジックテープ（登録商標）（雌）
９・・・導電性マジックテープ（登録商標）（雄）
１０・・・電極端子
１１・・・液晶層
１２・・・導電ペースト
１３・・・カーボンテープ
１４・・・カプトンテープ
１５・・・封止材
１６・・・リード線引き出し部
１７・・・調光素子
１８・・・透明電極フィルム
１９・・・電極端子
２０・・・電極端子
【図１】
2020030229.tif 000003
【図２】
2020030229.tif 000004